(57)【特許請求の範囲】
【請求項１】
複数の光源と、
複数の光源から出射された光を主走査方向に偏向走査する回転偏向器と、
前記回転偏向器の回転中心をとおり、前記回転偏向器の回転軸の軸方向に対して直交する方向に引いた対称線に関して対称配置した少なくとも一対の光学素子とを備え、
複数の光源のうち少なくともひとつから出射された光は、前記回転偏向器によって一方の光学素子に入射し、残りの光源から出射された光は、前記回転偏向器によって他方の光学素子に入射する対向走査方式の光走査装置において、
前記一対の光学素子と前記回転偏向器と前記光源とが取り付けられるハウジングを備え、
前記ハウジングの前記回転偏向器が取り付けられる回転偏向器取付部を複数備え、
前記回転偏向器取付部は、前記対称線に関して対称配置にされており、
前記対称線に関して対称配置された前記回転偏向器取付部のいずれか一方を、ハウジングよりも、線膨張係数の小さい材質で形成したことを特徴とする光走査装置。
【請求項２】
請求項１の光走査装置において、
前記ハウジングの前記回転偏向器取付部周囲の形状を、前記対称線を境にして、前記一方の光学素子が配置された側と、前記他方の光学素子が配置された側とで異ならせたことを特徴とする光走査装置。
【請求項３】
請求項２の光走査装置において、
前記ハウジングの前記回転偏向器取付部周囲にリブを形成し、
該リブの数や形状を、前記対称線を境にして、前記一方の光学素子が配置された側と、前記他方の光学素子が配置された側とで異ならせたことを特徴とする光走査装置。
【請求項４】
請求項２または３の光走査装置において、
前記ハウジングの前記回転偏向器取付部周囲に穴を形成し、
該穴の数や形状を、前記対称線を境にして、前記一方の光学素子が配置された側と、前記他方の光学素子が配置された側とで異ならせたことを特徴とする光走査装置。
【請求項５】
請求項１乃至４いずれかの光走査装置において、
前記回転偏向器取付部周囲の線膨張係数を、前記対称線を境にして、前記一方の光学素子が配置された側と、前記他方の光学素子が配置された側とで異ならせたことを特徴とする光走査装置。
【請求項６】
複数の潜像担持体と、
各潜像担持体に潜像を書き込む光書込手段と、
各潜像担持体に形成された潜像をそれぞれ個別に現像する複数の現像手段と、現像によって各感光体上で得られた可視像をそれぞれ転写体に重ね合わせて転写する転写手段とを備えた画像形成装置において、
前記光書込手段として、請求項１乃至５いずれかの光走査装置を用いることを特徴とする画像形成装置。
【発明の詳細な説明】
【技術分野】
【０００１】
本発明は、光走査装置および画像形成装置に関するものである。
【背景技術】
【０００２】
従来、複数の潜像担持体上にそれぞれ異なる色の画像（可視像）を形成してこれらの画像を互いに重ね合わせてカラー画像を形成するいわゆるタンデム型のカラー画像形成装置が知られている。この画像形成装置は、各潜像担持体上に画像情報に応じた光ビームたる書込光を照射してこれを走査することにより潜像担持体上に潜像を形成し、この潜像を現像して画像を得る。
【０００３】
このタンデム型の画像形成装置には、各潜像担持体上に画像情報に応じた光ビームたる書込光を照射してこれを走査する光走査装置として、対向走査型の光走査装置が一般的に用いられる。
【０００４】
対向走査型の光走査装置は、光走査装置の略中央に回転偏向器たるポリゴンミラーとポリゴンミラーを回転させるポリゴンモータとポリゴンモータの駆動を制御するための回路基板とで構成されたポリゴンスキャナを取り付ける。そして、ポリゴンミラーの回転中心を通り、ポリゴンミラーの回転軸方向に対して直交するように引いた一本の対称線に関して、線対称となるように光学素子である走査レンズや反射鏡などを配置している。
光走査装置は、潜像担持体の軸方向から見たとき、ポリゴンミラーの配置位置に対して左右同数の潜像担持体が配置されるよう画像形成装置に配置される。また、潜像担持体の軸方向から見たとき、一方の光学素子がポリゴンミラーの配置位置に対して左側に位置し、他方の光学素子がポリゴンミラーの配置位置に対して右側に位置する。
【０００５】
光走査装置のハウジングには、各潜像担持体に対応した光源が取り付けられている。
潜像担持体の軸方向から見たとき、ポリゴンミラーの配置位置に対して左側の位置に配置された潜像担持体に対応する光源から発した光は、ポリゴンミラーの配置位置に対して左側に位置する一方の光学素子に入射して、ポリゴンミラーの配置位置に対して左側に配置された潜像担持体に照射される。また、潜像担持体の軸方向から見たとき、ポリゴンミラーの配置位置に対して右側の位置に配置された潜像担持体に対応する光源から発した光は、ポリゴンミラーの配置位置に対して右側に位置する他方の光学素子に入射して、ポリゴンミラーの配置位置に対して右側に配置された潜像担持体に照射される。
【０００６】
対向走査型の光走査装置において、感光体上に走査される走査線が副走査線方向にずれると、色ずれが生じてしまう。
【０００７】
特許文献１や２には、走査線の副走査線方向の色ずれを補正する光走査装置が記載されている。これらに記載の光走査装置は、ポリゴンミラーから潜像担持体までの光路上にビーム検知手段を設け、このビーム検知手段で、書込光の副走査線方向のずれを検知する。その検知結果に基づいて、光源の発光タイミングを制御したり、光ビームを副走査線方向に偏向する副走査線方向偏向手段を設け、この副走査線方向偏向手段を検知結果に基づき制御したりして色ずれを抑制する。
【０００８】
【特許文献１】特開２００７−２２６１２９号公報
【特許文献２】特開２００８−４０１５５号公報
【発明の開示】
【発明が解決しようとする課題】
【０００９】
書込光を偏向する際、このポリゴンモータは高速回転するため、ポリゴンモータが発熱する。また、ポリゴンモータの駆動時は、回路基板上の電子制御部品も発熱する。このような発熱によって、ハウジングが熱膨張してしまう。その結果、ハウジングに取り付けられた光学素子が、この熱膨張の影響を受けて姿勢が変化し、ポリゴンミラーの配置位置に対して左側に配置された潜像担持体と、右側に配置された潜像担持体との間に色ずれが生じてしまうことが判明した。
以下に、ハウジングの熱膨張による色ずれについて、具体的に説明する。
【００１０】
図１２は、ハウジング１００の熱膨張により反射鏡４５ａ，４５ｂが傾いたときの色ずれについて説明する図である。なお、図中実線は、熱膨張前の光路を示し、図中点線は、熱膨張後の光路を示すものである。
ポリゴンミラー４１周辺は、ポリゴンスキャナ１４０の熱によって均一に熱膨張するが、ポリゴンミラー４１から離れるに従って、ハウジング１００の温度が低下するため、熱膨張する量が少なくなる。従って、図１２に示すように、ハウジング１００は、ポリゴンミラー４１の周囲が盛り上がった弓なり状になる。その結果、ポリゴンミラー４１に対してある程度離れて設けられた反射鏡４５ａ，４５ｂが、図中点線で示すように、外側に倒れて、反射鏡４５ａ，４５ｂの姿勢が変化してしまう。このように、反射鏡４５ａ，４５ｂが外側に倒れる結果、反射鏡４５ａ、４５ｂへの光の入射角度が変わる。その結果、左側の反射鏡４５ａに反射された光は、膨張前の走査線の走査位置に対して、潜像担持体表面移動方向上流側にずれ、右側の反射鏡４５ｂに反射された光は、膨張前の走査線の走査位置に対して、潜像担持体表面移動方向下流側にずれる。すなわち、熱膨張時において、ポリゴンミラーの配置位置に対して左側に配置された潜像担持体の走査位置の潜像担持体移動方向におけるずれ方向と、ポリゴンミラーの配置位置に対して右側に配置された潜像担持体の走査位置の潜像担持体移動方向におけるずれ方向が異なってしまうのである。このため、ポリゴンミラー４１の配置位置に対して左側に配置された感光体１０ａと、右側に配置された感光体１０ｂとの間に（Ａ＋Ｂ）の色ずれが生じる。
【００１１】
なお、左側の反射鏡を奇数枚とし、右側の反射鏡の数を偶数枚とするか、左側の反射鏡を偶数枚とし、右側の反射鏡の数を奇数枚とすることで、ハウジング１００の熱膨張による走査線の走査位置の潜像担持体移動方向におけるずれ方向を右側と左側とで同じ方向にでき、ポリゴンミラー４１の配置位置に対して左側に配置された感光体１０ａと、右側に配置された感光体１０ｂと間の色ずれを抑制することも考えられる。
しかしながら、左側と右側とで反射鏡の枚数を異ならせると、左側と右側とで光路長を同じにすることが困難となる。このため、右側と左側とで同じ走査レンズを用いた場合、左側の感光体１０ａに照射するビームスポット径と右側の感光体１０ｂに照射するビームスポット径とが異なるなどの不具合が生じるおそれが高く、良好な画像が得られなくなるおそれがある。
【００１２】
また、ハウジング１００の熱膨張によって光源の位置が移動すると、図１３の点線で示す膨張後の光の第１反射鏡４５ａ、４５ｂへの入射位置が、図中実線で示す膨張前の光の第１反射鏡４５ａ、４５ｂへの入射位置に対して光源が移動した方向にずれる。その結果、左側の第１反射鏡４５ａに反射された光は、膨張前の走査線の走査位置に対して、感光体表面移動方向上流側にずれ、右側の第１反射鏡４５ｂに反射された光は、膨張前の走査線の走査位置に対して、感光体表面移動方向下流側にずれる。このように、熱膨張により光源の位置が変位した場合においても、ポリゴンミラーの配置位置に対して左側に配置された潜像担持体の走査位置の潜像担持体移動方向におけるずれ方向と、ポリゴンミラーの配置位置に対して右側に配置された潜像担持体の走査位置の潜像担持体移動方向におけるずれ方向が異なってしまうのである。よって、ハウジングの膨張によって光源の位置が変動した場合も、左側に配置された感光体１０ａと、右側に配置された感光体１０ｂとの間に色ずれが生じる。
【００１３】
上述した特許文献１や２に記載の光走査装置のように、ビーム検知手段や、副走査線方向偏向手段を設け、ビーム検知手段で書込光の副走査線方向のずれを検知し、その検知結果に基づいて、副走査線方向偏向手段を制御して、色ずれを補正する機能を有しているものは、上述したハウジング熱膨張時における色ずれにも対応することが可能である。
【００１４】
しかしながら、特許文献１、２においては、ビーム検知手段や、副走査線方向偏向手段を設ける必要が生じ、部品点数が増え、装置のコストアップにつながるおそれがあった。
【００１５】
本発明は以上の問題点に鑑みなされたものであり、その目的は、ビーム検知手段や、副走査線方向偏向手段を設けずとも、ハウジングの熱膨張による走査線の副走査線方向のずれを抑制することができる光走査装置および画像形成装置を提供することである。
【課題を解決するための手段】
【００１６】
上記目的を達成するために、請求項１の発明は、複数の光源と、複数の光源から出射された光を主走査方向に偏向走査する回転偏向器と、前記回転偏向器の回転中心をとおり、前記回転偏向器の回転軸の軸方向に対して直交する方向に引いた対称線に関して対称配置した少なくとも一対の光学素子とを備え、複数の光源のうち少なくともひとつから出射された光は、前記回転偏向器によって一方の光学素子に入射し、残りの光源から出射された光は、前記回転偏向器によって他方の光学素子に入射する対向走査方式の光走査装置において、前記一対の光学素子と前記回転偏向器と前記光源とが取り付けられるハウジングを備え、前記ハウジングの前記回転偏向器が取り付けられる回転偏向器取付部を複数備え、前記回転偏向器取付部は、前記対称線に関して対称配置にされており、前記対称線に関して対称配置された前記回転偏向器取付部のいずれか一方を、ハウジングよりも、線膨張係数の小さい材質で形成したことを特徴とするものである。
また、請求項２の発明は、請求項１の光走査装置において、前記ハウジングの前記回転偏向器取付部周囲の形状を、前記対称線を境にして、前記一方の光学素子が配置された側と、前記他方の光学素子が配置された側とで異ならせたことを特徴とするものである。
また、請求項３の発明は、請求項２の光走査装置において、前記ハウジングの前記回転偏向器取付部周囲にリブを形成し、該リブの数や形状を、前記対称線を境にして、前記一方の光学素子が配置された側と、前記他方の光学素子が配置された側とで異ならせたことを特徴とするものである。
また、請求項４の発明は、請求項２または３の光走査装置において、前記ハウジングの前記回転偏向器取付部周囲に穴を形成し、該穴の数や形状を、前記対称線を境にして、前記一方の光学素子が配置された側と、前記他方の光学素子が配置された側とで異ならせたことを特徴とするものである。
また、請求項５の発明は、請求項１乃至４いずれかの光走査装置において、前記回転偏向器取付部周囲の線膨張係数を、前記対称線を境にして、前記一方の光学素子が配置された側と、前記他方の光学素子が配置された側とで異ならせたことを特徴とするものである。
また、請求項６の発明は、複数の潜像担持体と、各潜像担持体に潜像を書き込む光書込手段と、各潜像担持体に形成された潜像をそれぞれ個別に現像する複数の現像手段と、現像によって各感光体上で得られた可視像をそれぞれ転写体に重ね合わせて転写する転写手段とを備えた画像形成装置において、前記光書込手段として、請求項１乃至５いずれかの光走査装置を用いることを特徴とするものである。
【００１７】
本発明者らは、鋭意研究の結果、ハウジングの熱膨張時にポリゴンミラーを傾かせることで、色ずれが抑制されることを見出した。
以下に、図面に用いて説明する。
図１は、ハウジングの熱膨張により光学素子である反射鏡が傾いた場合について、本発者らが見出した色ずれが抑制効果を説明する図である。図２は、ハウジングの熱膨張により光源の位置が変位した場合について、本発者らが見出した色ずれが抑制効果を説明する図である。
【００１８】
まず、図１を用いてハウジングの熱膨張により光学素子である反射鏡が傾いた場合の本発明者らが見出した色ずれが抑制効果について説明する。なお、図中実線のａで示すのは、熱膨張前の光路である。また、図中点線のｂで示すのは、対称線を境にして、一方の光学素子が配置された側と、他方の光学素子が配置された側とでハウジングの熱膨張率が同じ場合におけるハウジングの熱膨張時の光路である。図中一点削線のｃは、一方の光学素子が配置された側と、他方の光学素子が配置された側とでハウジングの熱膨張率が異なる場合におけるハウジングの熱膨張時の光路である。
図１に示すように、ハウジングの回転偏向器取付部および／または回転偏向器取付部周囲の熱膨張率を、対称線を境にして、一方の光学素子が配置された側と、他方の光学素子が配置された側とで異ならせると、対称線を境にして、一方の光学素子が配置された側と、他方の光学素子が配置された側とでハウジングの熱膨張を異ならせることができる。従って、ポリゴンスキャナの熱などによりハウジングが熱膨張すると、回転偏向器４１が傾く。その結果、一方の光学素子（図中左側の第１反射鏡４５ａ）に入射する一点削線ｃで示す熱膨張時の光の入射位置が、図中実線ａで示す膨張前の光の入射位置に対して、図中下側にずれる。一方、他方の光学素子（図中左側の第１反射鏡４５ａ）に入射する一点削線ｃで示す熱膨張時の光の入射位置が、図中実線ａで示す膨張前の光の入射位置に対して、図中上側にずれる。このように、ハウジング熱膨張時に回転偏向器が傾くと、一方の光学素子に入射する光のハウジング膨張前の入射位置に対するずれ方向と、他方の光学素子に入射する光のハウジング膨張前の入射位置に対するずれ方向とが異なるのである。
また、一点削線ｃで示す熱膨張時の光が一方の光学素子の入射面（図中左側の第１反射鏡４５ａの反射面）に入射するときの入射角が、図中実線ａで示す膨張前の光の入射角よりも小さくなり、一点削線ｃで示す熱膨張時の光が他方の光学素子の入射面（図中右側の第１反射鏡４５ｂの反射面）に入射するときの入射角が、図中実線ａで示す膨張前の光の入射角よりも大きくなる。このように、ハウジングの熱膨張時に回転偏向器が傾くと、熱膨張前の光に対する入射角の変化が、一方の光学素子と他方の光学素子とで異なるのである。
その結果、図１の一点削線ｃで示すように、一方の光学素子（図中左側の第１反射鏡４５ａ）に入射した光は、幾何学的に光学素子（図中左側の第２反射鏡４６ａ）に反射して、潜像担持体上のＣ１の位置を走査する。一方、他方の光学素子（図中右側の第１反射鏡４５ｂ）に入射した光は、幾何学的に光学素子（図中右側の第２反射鏡４６ａ）に反射して、図中Ｃ２の位置に走査する。よって、ハウジングが熱膨張したときに回転偏向器が傾くようにした場合は、色ずれ量がＬ２となる。
従来のハウジングの回転偏向器取付部および／または回転偏向器取付部周囲が均一に熱膨張したときの一方の光学素子（図中左側の第１反射鏡４５ａ、第２反射鏡４６ａ）を反射した光は、図中点線ｂで示すように潜像担持体上のＢ１の位置を走査する。他方の光学素子（図中右側の第１反射鏡４５ｂ、第２反射鏡４６ｂ）を反射した光は、図中点線ｂで示すように潜像担持体上のＢ２の位置に走査する。このため、従来のハウジングの回転偏向器取付部および／または回転偏向器取付部周囲が均一に熱膨張したときの色ずれ量はＬ１となる。
そして、図１を見れば明らかなように、ハウジング熱膨張時に回転偏向器が傾かない場合の色ずれ量Ｌ１より、ハウジング熱膨張時に回転偏向器が傾く場合の色ずれ量Ｌ２の方が小さくなっていることがわかる。よって、従来のハウジングの回転偏向器取付部および／または回転偏向器取付部周囲が均一に熱膨張する場合に比べて、回転偏向器の配置位置に対して左側に配置された潜像担持体と、右側に配置された潜像担持体との間の色ずれを抑制できる。
このように、本発明者らは、ハウジングの熱膨張時に光学素子が傾く場合、回転偏向器が傾くことで、幾何学的に色ずれが抑制されるのを見出したのである。
【００１９】
次に、図２に基づきハウジングの熱膨張により光源の位置が変位した場合の本発者らが見出した色ずれが抑制効果について説明する。なお、図中実線ａで示すのは、熱膨張前の光路である。また、図中点線ｂで示すのは、対称線を境にして、一方の光学素子が配置された側と、他方の光学素子が配置された側とでハウジングの熱膨張率が同じ場合におけるハウジングの熱膨張時の光路である。図中一点削線ｃは、一方の光学素子が配置された側と、他方の光学素子が配置された側とでハウジングの熱膨張率が異なる場合におけるハウジングの熱膨張時の光路である。
光源の位置が変位した場合においても、ハウジングの熱膨張時に回転偏向器が傾くと、回転偏向器によって走査された光が最初に入射する光学素子への入射位置の熱膨張前の光に対するズレ方向と、熱膨張前の光に対する入射角の変化とが、一方の光学素子と他方の光学素子とで異なる。
従って、図２の一点削線ｃで示すように、一方の光学素子（図中左側の第１反射鏡４５ａ）に入射した光は、幾何学的に光学素子（図中左側の第２反射鏡４６ａ）に反射して、潜像担持体上のＣ１の位置を走査する。一方、他方の光学素子（図中右側の第１反射鏡４５ｂ）に入射した光は、幾何学的に光学素子（図中右側の第２反射鏡４６ａ）に反射して、図中Ｃ２の位置を走査する。このため、ハウジング熱膨張時に回転偏向器が傾いたときの色ずれ量はＬ３となる。
一方、従来のハウジングの回転偏向器取付部および／または回転偏向器取付部周囲が均一に熱膨張したときの一方の光学素子（図中左側の第１反射鏡４５ａ、第２反射鏡４６ａ）を反射した光は、図中点線ｂで示すように潜像担持体上のＢ１の位置を走査する。他方の光学素子（図中右側の第１反射鏡４５ｂ、第２反射鏡４６ｂ）を反射した光は、図中点線ｂで示すように潜像担持体上のＢ２の位置に走査する。このため、従来のハウジングの回転偏向器取付部および／または回転偏向器取付部周囲が均一に熱膨張したときの色ずれ量がＬ４となる。
そして、図２を見れば明らかなように、ハウジング熱膨張時に回転偏向器が傾かない場合の色ずれ量Ｌ４より、ハウジング熱膨張時に回転偏向器が傾く場合の色ずれ量Ｌ３の方が小さくなっていることがわかる。よって、従来のハウジングの回転偏向器取付部および／または回転偏向器取付部周囲が均一に熱膨張する場合に比べて、回転偏向器の配置位置に対して左側に配置された潜像担持体と、右側に配置された潜像担持体との間の色ずれを抑制できる。
このように、本発明者らは、ハウジングの熱膨張時光源の位置が変位する場合も、回転偏向器が傾くことで、幾何学的に色ずれが抑制されるのを見出したのである。
【００２０】
なお、図１、図２に示したのは、一例であって、各光学素子である反射鏡の角度や、各反射鏡間の距離が図１、図２に示したものと異なっていても、ハウジング熱膨張時に回転偏向器が傾くことで、ハウジング熱膨張時に回転偏向器が傾かない場合に比べて色ずれ抑制効果を得ることができる。
【発明の効果】
【００２１】
請求項１乃至７の発明によれば、ビーム検知手段や、副走査線方向偏向手段を設けずに、ハウジングの熱膨張による走査線の副走査線方向のずれを抑制することができるので、装置を安価にすることができる。
【発明を実施するための最良の形態】
【００２２】
以下、本発明を、電子写真方式のカラーレーザープリンタ（以下、単にプリンタという）に適用した実施形態について説明する。
図３は、本実施形態に係るプリンタを示す概略構成図である。このプリンタは、筐体１と、この筐体１から引き出し可能な給紙カセット２とを備えている。筐体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００２３】
図４は、イエロー（Ｙ）用の作像ステーションを示す概略構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０［ｍｍ］のアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋを備えている。また、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋも感光体の周囲に備えている。
【００２４】
各作像ステーション３Ｙ，３Ｃ，３Ｍ，３Ｋの下方には、感光体１０Ｙ，１０Ｃ，１０Ｍ，１０Ｋに対し、書込光Ｌによる光走査を行う光走査装置としての光書込ユニット４を備えている。また、各作像ステーション３Ｙ，３Ｃ，３Ｍ，３Ｋの上方には、各作像ステーション３Ｙ，３Ｃ，３Ｍ，３Ｋによって形成されたトナー像が転写される中間転写ベルト２０を具備する中間転写ユニット５を備えている。また、中間転写ベルト２０に転写されたトナー像を転写体としての記録紙Ｐに定着せしめる定着ユニット６を備えている。また、筐体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、筐体１の上部に形成される排紙トレイ８を開くことにより、筐体１から脱着可能になっている。
【００２５】
光走査装置としての光書込ユニット４は、光源であるレーザーダイオードを有しており、このレーザーダイオードから、回転駆動される正多角柱構造のポリゴンミラーに向けて光ビームとしての書込光Ｌを発射する。発射された書込光Ｌは、回転するポリゴンミラーの鏡面によって主走査方向に偏向せしめられながら反射する。そして、複数の反射鏡によって折り返された後、帯電装置１１Ｙ，１１Ｃ，１１Ｍ，１１Ｋによって一様帯電せしめられた感光体１０Ｙ，１０Ｃ，１０Ｍ，１０Ｋの周面を走査する。これにより、潜像担持体としての感光体１０Ｙ，１０Ｃ，１０Ｍ，１０Ｋの周面に、それぞれＹ，Ｃ，Ｍ，Ｋ用の静電潜像が形成される。なお、光書込ユニット４の詳しい説明は後述する。
【００２６】
転写手段たる中間転写ユニット５の中間転写ベルト２０は、駆動ローラ２１、テンションローラ２２及び従動ローラ２３に掛け回されながら、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に１次転写する１次転写ローラ２４Ｙ，２４Ｃ，２４Ｍ，２４Ｋを備えている。また、中間転写ベルト２０上に１次転写されたトナー像を記録紙Ｐに転写する２次転写ローラ２５、記録紙Ｐ上に転写されなかった中間転写ベルト２０上の転写残トナーをクリーニングするベルトクリーニング装置２６も備えている。
【００２７】
次に、本プリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、画像情報に基づいて生成された書込光Ｌによって走査露光されて、感光体１０Ｙ，１０Ｃ，１０Ｍ，１０Ｋの表面に静電潜像が形成される。これらの静電潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されて、Ｙ，Ｃ，Ｍ，Ｋトナー像となる。感光体１０Ｙ，１０Ｃ，１０Ｍ，１０Ｋ上のＹ，Ｃ，Ｍ，Ｋトナー像は、各１次転写ローラ２４Ｙ，２４Ｃ，２４Ｍ，２４Ｋの作用によって反時計回りに回転駆動する中間転写ベルト２０上に順次重ねて１次転写される。このときの各色の作像動作は、そのトナー像が中間転写ベルト２０上の同じ位置に重ねて転写されるように、中間転写ベルト２０の移動方向上流側から下流側に向けてタイミングをずらして実行される。
【００２８】
１次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされて、次の画像形成に備えられる。
【００２９】
トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００３０】
一方、上記給紙カセット２内の記録紙Ｐは、給紙カセット２の近傍に配設された給紙ローラ２７によって、筐体１内に搬送され、レジストローラ対２８によって所定のタイミングで２次転写部に搬送される。そして、２次転写部において、中間転写ベルト２０上に形成されたトナー像が記録紙Ｐに転写される。トナー像が転写された記録紙Ｐは、定着ユニット６を通過することでトナー像が定着せしめられた後、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００３１】
次に、光書込ユニット４の構成について説明する。
図５は、本実施形態に係るプリンタおける光書込ユニット４を、４つの感光体とともに示す概略構成図である。
図６は、第１筐体７０を上から見た図であり、図７は、第１筐体の斜視図である。
本実施形態の光書込ユニット４は、レーザダイオード５１Ｙ、５１Ｃ、５１Ｍ，５１Ｋ（光源）からfθレンズ４３ａ、４３ｂまでの間の光路上に設けられた光学系部品を収納する樹脂などからなるハウジングたる第１筐体７０と、fθレンズ４３ａ、４３ｂから感光体までの間の光路上に設けられた光学素子を収納する樹脂などからなるハウジングたる第２筐体６０とで構成されたものである。
【００３２】
ハウジングである第１筐体７０には、光源であるレーザダイオード５１Ｙ、５１Ｃ、５１Ｍ，５１Ｋ、コリメートレンズ５２ａ、５２ｂ、シリンドリカルレンズ５３ａ、５３ｂ、偏向走査手段たるポリゴンスキャナ１４０、主走査線方向および副走査線方向に集光して、ポリゴンミラー４１ａ，４１ｂによりレーザ走査の等角度運動を等速直線運動へと変えるとともに、ポリゴンミラーの面倒れ補正を行う光学素子である走査レンズ４３ａ，４３ｂが収納されている。
【００３３】
Ｙ用のレーザダイオード５１Ｙは、図７に示すように、第１筐体７０の端部の第２光源取付面７５ｂに穴形状のＹ用光源取付部７８Ｙに取り付けられ、Ｃ用のレーザダイオード５１Ｃは、Ｙ用光源取付部７８Ｙの真下に設けられた穴形状のＣ用光源取付部７８Ｃに取り付けられる。また、Ｍ用のレーザダイオード５１Ｍは、第２光源取付面７５ｂの隣に設けられた第１光源取付面のＭ用光源取付部７８Ｍに取り付けられ、Ｋ用のレーザダイオードは５１Ｋは、Ｋ用光源取付部７８Ｋの真下に設けられた穴形状のＫ用光源取付部７８Ｋに取り付けられる。
【００３４】
ポリゴンスキャナ１４０は、正多角柱形状からなる２つのポリゴンミラー（回転偏向器）４１ａ、４１ｂと、ポリゴンモータ（駆動手段）１４４と、ポリゴンモータ１４４の駆動を制御するための電子部品１４２を搭載した回路基板１４１とで構成されている。これらポリゴンミラー４１ａ，４１ｂは、その６つの側面に光学素子である反射鏡を有しており、互いに正多角柱の中心を重ねるようにして上下方向に接続されている。回路基板１４１には、電子部品１４２と、ポリゴンモータ１４４と、装置本体の電源ユニットに接続された図示しないハーネスが取り付けられるコネクタ１４３とが取り付けられている。ポリゴンスキャナ１４０は、ポリゴンスキャナ収容壁７４に囲まれたポリゴンスキャナ収容部７３にネジによって第１筐体７０に締結される。すなわち、ポリゴンスキャナ１４０の回路基板１４１の３箇所に設けられた孔部１４０ａ、１４０ｂ、１４０に図示しないネジを貫通させて、第１筐体７０に４箇所設けられ、内周面に雌ネジが形成された穴形状の回転偏向器取付部たるスキャナ取付部７６ａ（図示せず）、７６ｂ（図示せず）、７６ｃ、７６ｄ（図示せず）に図示しないネジを螺合させることで、ポリゴンスキャナ１４０を第１筐体７０に締結される。走査レンズ４３ａ、４３ｂは、第１筐体７０の走査レンズ収容部７７ａ、７７ｂに取り付ける。また、コリメートレンズ５２ａ、５２ｂ、シリンドリカルレンズ５３ａ、５３ｂは、第１筐体７０のレーザダイオードからポリゴンミラー４１ａ、４１ｂまでの光路上にそれぞれ取り付けられる。また、第１筐体７０のポリゴンスキャナ収容壁７４には、防音ガラス４９ａ，４９ｂが設けられている。
【００３５】
このようにして、組み立てられた第１筐体７０は、図８に示すように、ポリゴンスキャナがハウジングである第２筐体６０の略中央にとなるよう、第２筐体６０に取り付けられる。第２筐体６０は、図５に示すように、第１筐体７０のほかに、感光体１０Ｙ，１０Ｃ，１０Ｍ，１０Ｋへとレーザ光を導く第１反射鏡４４Ｙ，４４Ｍ，４４Ｃ，４４Ｋ、第２筐体４５Ｙ，４５Ｍ，４５Ｃ，４５Ｋ、図示しない同期検知手段などが取り付けられている。
【００３６】
図６に示すように、光書込ユニット４は、ポリゴンミラーの回転中心をとおり、ポリゴンミラーの回転軸の軸方向に対して直交する方向に引いた対称線に関して、光学素子および光源たるレーザダイオードが線対称となる位置に配置されて対をなした対向走査型の光走査装置である。具体的には、光学素子である走査レンズ４３ａ、４３ｂ、光源であるレーザダイオード、光学素子である第１反射鏡、コリメートレンズ５２ａ、５２ｂ、シリンドリカルレンズ５３ａ、５３ｂがそれぞれ線対称となる位置に配置されている。
【００３７】
各レーザダイオード５１Ｙ，５１Ｃ，５１Ｍ，５１Ｋから出射された書込光は、Ｌｙ，Ｌｃ，Ｌｍ，Ｌｋは、コリメートレンズ５２ａ（５２ｂ）を透過した後、第１筐体７０に設けられた図示しないアパーチャーで一定の形状に成形された後、シリンドリカルレンズ５３ａ（５３ｂ）を透過することで、副走査方向（感光体表面上における感光体表面移動方向に相当する方向）に集光せしめられる。次いで、ポリゴンモータ１４４によって高速回転される正六面体構造のポリゴンミラー４１ａ（４１ｂ）における６つの側面にそれぞれ形成された鏡面のうち、何れかで反射しながら主走査方向（感光体表面上における軸線方向に相当する方向）に偏向せしめられる。そして、走査レンズ４３ａ、４３ｂによって、ポリゴンミラー４１ａ（４１ｂ）によって一定の角速度で主走査方向に偏向せしめられる光の偏向方向の移動速度を等速に変換するとともに面倒れが補正される。
【００３８】
走査レンズ４３ａ，４３ｂを透過したＹ，Ｃ，Ｍ，Ｋ用の書込光Ｌｙ，Ｌｃ，Ｌｍ，Ｌｋは、Ｙ，Ｃ，Ｍ，Ｋ用の反射光学系の各反射鏡に向かう。例えば、走査レンズ４３ａを透過したＹ用の書込光Ｌｙは、第１反射鏡４４Ｙの鏡面に対して鋭角に反射し、第２反射鏡４５Ｙの鏡面に対して鈍角に反射するることで、Ｙ用の感光体１０Ｙの表面に導かれていく。Ｃ，Ｍ，Ｋ用のレーザー光Ｌｃ，Ｌｍ，Ｌｋも同様にしてそれぞれ第１反射鏡の鏡面に対して鋭角に反射し、第２反射鏡の鏡面に対して鈍角に反射されることで、Ｃ，Ｍ，Ｋ用の感光体１０Ｃ，Ｍ，Ｋの表面に導かれていく。なお、第２反射鏡４６Ｙ，Ｃ，Ｍ，Ｋの鏡面で反射したＹ，Ｃ，Ｍ，Ｋ用の書込光Ｌｙ，Ｌｃ，Ｌｍ，Ｌｋは、光書込ユニット４の上面に設けられた防塵ガラス４８Ｙ，４８Ｃ，４８Ｍ，４８Ｋを透過した後、感光体１０Ｙ，Ｍ，Ｃ，Ｋの表面に到達する。
【００３９】
ポリゴンモータ１５０は、書込光を偏向走査する際、高速で回転するため発熱する。また、回路基板１６０上の図示しない電子制御部品も発熱する。このため、連続で画像形成動作を行った場合、このようなポリゴンスキャナ１４０の発熱部たるポリゴンモータ１５０や回路基板上の電子制御部品の発熱によって、光走査装置７０内が高温となり、樹脂で形成された第１筐体７０や第２筐体６０が熱膨張してしまう。第１筐体７０や第２筐体６０のポリゴンスキャナ周辺は、ポリゴンスキャナ１４０の熱によって均一に熱膨張するが、ポリゴンスキャナ１４０から離れるに従って、筐体の温度が低下するため、熱膨張する量が少なくなる。従って、先の図１２に示したように、ポリゴンスキャナ１４０の周囲が盛り上がった弓なり状になる。その結果、ポリゴンススキャナ１４０に対してある程度離れて設けられた反射鏡が外側に倒れて、反射鏡の姿勢が変化してしまう。
反射鏡の姿勢が変化すると、反射鏡に対する書込光の入射角度が変わり、図５に示す、ポリゴンミラー４１ａ、４１ｂによって図中左方向に偏向走査される書込光Ｌｙ，Ｌｃに関しては、筐体熱膨張前の感光体への走査位置に対して、感光体移動方向上流側に走査位置がずれてしまう。一方、ポリゴンミラー４１ａ、４１ｂによって図中左方向に偏向走査される書込光Ｌｍ，Ｌｋに関しては、筐体熱膨張前の感光体への走査位置に対して、感光体移動方向下流側に走査位置がずれてしまう。
このように、ポリゴンミラー４１ａ、４１ｂによって左方向に偏向走査される書込光Ｌｙ，Ｌｃと、ポリゴンミラー４１ａ、４１ｂによって右方向に偏向走査される書込光Ｌｙ，Ｌｃとで副走査線方向のずれ方向が違うため、Ｙ色とＫ色およびＭ色、Ｃ色とＫ色およびＭ色の間で色ずれが生じてしまう。
【００４０】
そこで、本実施形態においては、このような筐体の熱膨張による色ずれを抑制するために、筐体のポリゴンミラー周辺の熱膨張率を、対称線を境にして、Ｍ色、Ｋ色の反射鏡が配置された側と、Ｙ色、Ｃ色の反射鏡が配置された側とで異ならせて、筐体が熱膨張したときに、ポリゴンミラーがＭ色、Ｋ色の反射鏡側またはＣ色、Ｙ色の反射鏡側に傾かせるようにした。このように、ポリゴンミラーを傾かせることで、先の図１に示すように、第１反射鏡に入射する入射角度が変わり、幾何学的に色ずれを抑制することができる。
【００４１】
また、光源であるレーザダイオード５１Ｙ、５１Ｃ、５１Ｍ，５１Ｋの位置が、第１筐体６０の熱膨張によって変位したときも、ポリゴンミラー４１ａ、４１ｂによって図中左方向に偏向走査される書込光Ｌｙ，Ｌｃに関しては、筐体熱膨張前の感光体への走査位置に対して、感光体移動方向上流側に走査位置がずれてしまう。一方、ポリゴンミラー４１ａ、４１ｂによって図中左方向に偏向走査される書込光Ｌｍ，Ｌｋに関しては、筐体熱膨張前の感光体への走査位置に対して、感光体移動方向下流側に走査位置がずれてしまう。この場合も、筐体のポリゴンミラー周辺の熱膨張率を、対称線を境にして、Ｍ色、Ｋ色の反射鏡が配置された側と、Ｙ色、Ｃ色の反射鏡が配置された側とで異ならせて、筐体が熱膨張したときに、ポリゴンミラーがＭ色、Ｋ色の反射鏡側またはＣ色、Ｙ色の反射鏡側に傾かせるようにすることで、先の図２に示すように、第１反射鏡に入射する入射角度が変わり、幾何学的に色ずれを抑制することができる。
【００４２】
以下に、筐体のポリゴンミラー周辺の熱膨張率を、対称線を境にして、Ｍ色、Ｋ色の反射鏡が配置された側と、Ｙ色、Ｃ色の反射鏡が配置された側とで異ならせる構成について、実施例１〜３に基づいて、具体的に説明する。
【００４３】
［実施例１］
図９は、実施例１のポリゴンスキャナ収容部７３の概略構成図である。
この実施例１においては、ポリゴンスキャナ収容部７３の対称線を境にして、Ｙ色、Ｃ色の反射鏡が配置されたＹＣ側７３ｂと、Ｍ色、Ｋ色の反射鏡が配置されたＭＫ側７３ａとでリブ７３１の形状を異ならせて、ポリゴンスキャナ収容部７３のＹＣ側７３ｂとＭＫ側７３ａとの形状を異ならせたものである。
ＹＣ側７３ｂのリブ７３１の本数を増やことで、ＹＣ側の熱容量が増え、ＹＣ側の温度上昇がＭＫ側の温度上昇よりも遅くなる。その結果、ＹＣ側の熱膨張が、ＭＫ側の熱膨張よりも少なくなり、ポリゴンミラーがＹＣ側に傾く。
リブの本数や形状は、熱膨張時に色ずれが最も抑制されるポリゴンミラーの傾きとなるよう、適宜決定すればよい。
【００４４】
［実施例２］
図１０は、実施例２のポリゴンスキャナ収容部７３の概略構成図である。
この実施例２においては、ポリゴンスキャナ収容部７３のＭＫ側７３ａに穴部７３２を設けて、ポリゴンスキャナ収容部７３のＹＣ側７３ｂとＭＫ側７３ａとの形状を異ならせたものである。
ＭＫ側７３ａに穴部を設けることで、ポリゴンスキャナの熱が穴部から発散して、ＭＫ側の温度上昇が、ＣＫ側の温度上昇よりも遅くなる。その結果、ＭＫ側の熱膨張が、ＹＣ側の熱膨張よりも少なくなり、ポリゴンミラーがＭＫ側に傾く。
穴部の形状や数は、熱膨張時に色ずれが最も抑制されるポリゴンミラーの傾きとなるよう、適宜決定すればよい。
【００４５】
［実施例３］
図１１は、実施例３のポリゴンスキャナ収容部７３の概略構成図である。
この実施例３においては、ＣＹ側７３ａの回転偏向器取付部たるスキャナ取付部７６ｃ、７６ｄを第１筐体７０の線膨張係数よりも小さい材質で形成したものである。
この実施例３においては、スキャナ取付部７６ｃ、７６ｄを別部材で構成し、第１筐体７０に、これら別部材のスキャナ取付部７６ｃ、７６ｄが嵌合するための嵌合穴を設ける。そして、スキャナ取付部７６ｃ、７６ｄをこれら嵌合穴に圧入嵌合して、スキャナ取付部７６ｃ、７６ｄを第１筐体に取り付ける。
このように構成することで、ＣＹ側７３ａのスキャナ取付部７６ｃ、７６ｄが、第１筐体と一体成形されているＭＫ側のスキャナ取付部７６ａ、７６ｂよりも熱膨張しなくなる。その結果、ポリゴンミラーがＹＣ側に傾く。
なお、スキャナ取付部７６ｃ、７６ｄを第１筐体７０の線膨張係数よりも小さい材質で形成しているが、ポリゴンスキャナ収容部７３のＣＹ側を線膨張係数よりも小さい材質で形成してもよい。このように構成することで、ＣＹ側７３ａが、第１筐体と一体成形されているＭＫ側よりも熱膨張しなくなり、ポリゴンミラーがＹＣ側に傾く。
【００４６】
また、上記実施例１〜３の構成を適宜組み合わせて、筐体のポリゴンミラー周辺の熱膨張率を、対称線を境にして、Ｍ色、Ｋ色の反射鏡が配置された側と、Ｙ色、Ｃ色の反射鏡が配置された側とで異ならせてもよい。
また、ＣＹ側およびＭＫ側のいずれか一方に通気孔と排気孔とを設け、空気を吹き込み冷却することで、ＣＹ側とＭＫ側との熱膨張率を異ならせてもよい。
【００４７】
また、本発明は、ハウジングたる筐体の熱膨張によって光学素子たる走査レンズが傾いた場合にも、適用することができる。走査レンズが筐体の熱膨張により傾くと、感光体の軸方向から見たとき、右方向に偏向走査される走査線の感光体上の走査位置における熱膨張前の走査位置のずれ方向と、左方向に偏向走査される走査線の感光体上の走査位置における熱膨張前の走査位置のずれ方向とが逆になり、色ずれが大きい。しかし、上述した実施例１乃至３で記述した構成として、筐体熱膨張時にポリゴンミラーを傾かせることで、上述同様、第１反射鏡および第２反射鏡の鏡面に対する反射角度が変わり、幾何学的に色ずれを抑制することができる。
【００４８】
以上、本実施形態の光走査装置たる書込ユニットは、光源たるレーザダイオードを複数備えている。また、各レーザダイオードから出射された光を主走査方向に偏向走査する回転偏向器たるポリゴンミラーと、ポリゴンミラーの回転中心をとおり、ポリゴンミラーの回転軸の軸方向に対して直交する方向に引いた対称線に関して対称配置した少なくとも一対の光学素子たる走査レンズや反射鏡とを備えている。そして本実施形態の書込ユニットは、複数のレーザダイオードのうち、Ｙ用のレーザダイオードおよびＣ用のレーザダイオードから出射された光は、ポリゴンミラーによって一方の走査レンズに入射し、Ｍ用のレーザダイオードおよびＫ用のレーザダイオードから出射された光は、ポリゴンミラーによって他方の走査レンズに入射する対向走査方式の光書込ユニットである。
対称線に関して対となって配置されている走査レンズや反射鏡、複数のレーザダイオード、ポリゴンミラーは、ハウジングである第１筐体または第２筐体に取り付けられている。
そして、本実施形態の光書込ユニットは、筐体のポリゴンミラーが取り付けられる回転偏向器取付部たるスキャナ取付部および／またはスキャナ取付部周囲の熱膨張率を、対称線を境にして、一方の走査レンズが配置された側と、他方の走査レンズが配置された側とで異ならせた。
このように、構成することで、筐体が熱膨張したときに、ポリゴンミラーが、いずれか一方の走査レンズ側に傾く。その結果、感光体の軸方向から光書込ユニットを見たとき、ポリゴンミラーにより一方の走査レンズに入射する偏向走査された光の向きが筐体の熱膨張前に対して、上方または下方に傾き、他方の走査レンズに入射する偏向走査された光の向きが、一方の走査レンズに入射する偏向走査された光の向きと逆方向に傾く。その結果、先の図１、図２に示すように、筐体の熱膨張によってレーザダイオードの位置が変位したり、走査レンズや反射鏡が傾いたりしても、色ずれを抑制することができる。
【００４９】
また、筐体のスキャナ取付部周囲の形状を、対称線を境にして、一方の走査レンズが配置された側と、他方の走査レンズが配置された側とで異ならせることで、スキャナ取付部周囲の熱膨張率を、対称線を境にして、一方の走査レンズが配置された側と、他方の走査レンズが配置された側とで異ならせることができる。
【００５０】
例えば、実施例１に示すように、スキャナ取付け部周囲に設けリブを設け、リブの数や形状を、対称線を境にして、一方の走査レンズが配置された側と、他方の走査レンズが配置された側とで異ならせることで、対称線を境にして、一方の走査レンズが配置された側と、他方の走査レンズが配置された側とでスキャナ取付部周囲の形状を異ならせることができる。
【００５１】
また、実施例２のように、スキャナ取付け部周囲に穴を形成し、穴の形状や数を、対称線を境にして、一方の走査レンズが配置された側と、他方の走査レンズが配置された側とで異ならせることで、対称線を境にして、一方の走査レンズが配置された側と、他方の走査レンズが配置された側とでスキャナ取付部周囲の形状を異ならせることもできる。
【００５２】
また、実施例３に示すように、スキャナ取付部および／またはスキャナ取付部周囲の線膨張係数を、対称線を境にして、一方の光学素子が配置された側と、前記他方の光学素子が配置された側とで異ならせても、スキャナ取付部周囲の熱膨張率を、対称線を境にして、一方の走査レンズが配置された側と、他方の走査レンズが配置された側とで異ならせることができる。
【００５３】
また、対称線に関して対称配置されたスキャナ取付部のいずれか一方を、筐体の線膨張係数よりも小さい材質で形成することで、スキャナ取付部の熱膨張率を、対称線を境にして、一方の走査レンズが配置された側と、他方の走査レンズが配置された側とで異ならせることができる。
【００５４】
また、タンデム型のカラー画像形成装置に、上述の書込ユニットを用いることで色ずれを抑制することができる。
【図面の簡単な説明】
【００５５】
【図１】ハウジングの熱膨張により光学素子である反射鏡が傾いた場合について、本発明の効果を説明する図。
【図２】ハウジングの熱膨張により光源の位置が変位した場合について、本発明の効果を説明する図。
【図３】実施形態に係るプリンタを示す概略構成図。
【図４】同プリンタにおけるＹ用の作像ステーションを示す概略構成図。
【図５】同プリンタおける光書込ユニットを、４つの感光体とともに示す概略構成図。
【図６】第１筐体を上から見た図。
【図７】第１筐体の斜視図。
【図８】第１筐体を第２筐体に取り付ける様子を説明する図。
【図９】実施例１のポリゴンスキャナ収容部の概略構成図。
【図１０】実施例２のポリゴンスキャナ収容部の概略構成図。
【図１１】実施例３のポリゴンスキャナ収容部の概略構成図。
【図１２】ハウジングの熱膨張により反射鏡が傾いたときの色ずれについて説明する図。
【図１３】ウジングの熱膨張により光源の位置が変位したときの色ずれについて説明する図。
【符号の説明】
【００５６】
３Ｙ，３Ｃ，３Ｍ，３Ｋ  作像ステーション
４  光書込ユニット
１０Ｙ，１０Ｃ，１０Ｍ，１０Ｋ  感光体
１１Ｙ，１１Ｃ，１１Ｍ，１１Ｋ  帯電装置
１２Ｙ，１２Ｃ，１２Ｍ，１２Ｋ  現像装置
２０  中間転写ベルト
４１ａ、４１ｂ  ポリゴンミラー
４４Ｙ，４４Ｃ，４４
６０  第２筐体
７０  第１筐体
７３  ポリゴンスキャナ収容部
７４  ポリゴンスキャナ収容壁
７６ａ，７６ｂ，７６ｃ，７６ｄ  スキャナ取付部
１４０  ポリゴンスキャナ
１４４  ポリゴンモータ
【図１】
0005037424.tif 000002
【図２】
0005037424.tif 000003
【図３】
0005037424.tif 000004
【図４】
0005037424.tif 000005
【図５】
0005037424.tif 000006
【図６】
0005037424.tif 000007
【図７】
0005037424.tif 000008
【図８】
0005037424.tif 000009
【図９】
0005037424.tif 000010
【図１０】
0005037424.tif 000011
【図１１】
0005037424.tif 000012
【図１２】
0005037424.tif 000013
【図１３】
0005037424.tif 000014